(57)【要約】【課題】紡出された直後のフィラメントの近傍における気流の乱れを抑制し、且つ、複数の排気リング間におけるガスの吸引量のばらつきを低減すること。【解決手段】溶融紡糸装置は、複数の紡糸口金からフィラメントを紡出する紡糸部と、複数の冷却筒を有する冷却部と、紡糸部と冷却部との間に配置された排気装置４とを備える。排気装置４は、吸引ポンプ３４と、紡出された複数のフィラメントをそれぞれ囲うように設けられた複数の排気リング３２と、吸引ポンプ３４に接続され、且つ、複数の排気リング３２を囲うように設けられ、複数の排気リング３２の内側から排出されたガスが流れる内部空間が形成された囲い部材３１とを有する。各排気リング３２には、複数の排気穴が形成され、各排気リング３２の各排気穴の面積が３０ｍｍ2以下であり、各排気リング３２において、複数の排気穴の面積の総和の、排気リング３２の内面積に対する割合が、２．５％以下である。【選択図】図３
2019099941.tif 000002
【特許請求の範囲】
【請求項１】
複数の紡糸口金を有し、前記複数の紡糸口金からそれぞれフィラメントを紡出する紡糸部と、
前記複数の紡糸口金の下方にそれぞれ配置された複数の冷却筒を有し、前記複数の紡糸口金からそれぞれ紡出された前記フィラメントを冷却する冷却部と、
前記フィラメントの走行方向において前記紡糸部と前記冷却部との間に配置され、紡出された前記フィラメントから発生するガスを吸引して排出する排気部と、を備え、
前記排気部は、
前記ガスを吸引する吸引装置と、
前記複数の紡糸口金と前記複数の冷却筒との間にそれぞれ配置され、且つ、前記複数の紡糸口金から紡出された前記複数のフィラメントをそれぞれ囲うように設けられた複数の排気リングと、
前記吸引装置に接続され、且つ、前記複数の排気リングを囲うように設けられ、前記複数の排気リングの内側から排出された前記ガスが流れる内部空間が形成された囲い部材と、を有し、
各排気リングの周壁には、前記ガスが吸引排出される複数の排気穴が形成され、
各排気リングの各排気穴の面積が、３０ｍｍ2以下であり、
各排気リングにおいて、前記複数の排気穴の面積の総和の、前記排気リングの内面積に対する割合が、２．５％以下であることを特徴とする溶融紡糸装置。
【請求項２】
各排気穴の面積が、１３ｍｍ2以下であることを特徴とする請求項１に記載の溶融紡糸装置。
【請求項３】
前記複数の排気穴の面積の総和の、前記排気リングの内面積に対する割合が、１．２５％以下であることを特徴とする請求項１又は２に記載の溶融紡糸装置。
【請求項４】
各排気穴の面積が、７ｍｍ2以上であることを特徴とする請求項１〜３のいずれかに記載の溶融紡糸装置。
【請求項５】
各排気リングの前記複数の排気穴は、各排気リングの周方向において等間隔で配列されていることを特徴とする請求項１〜４のいずれかに記載の溶融紡糸装置。
【請求項６】
各排気穴は、円形状を有することを特徴とする請求項１〜５のいずれかに記載の溶融紡糸装置。
【請求項７】
前記紡糸部は、０．５ＤＰＦ以下の太さのフィラメントを紡出可能であることを特徴とする請求項１〜６のいずれかに記載の溶融紡糸装置。
【請求項８】
前記囲い部材は、
前記ガスが吸引される吸引方向における下流側に向かうほど流路幅が狭くなる流路縮小部分と、
前記流路縮小部分よりも前記吸引方向における前記吸引装置側に配置され、流路幅が一定な直線部分と、
前記流路縮小部分と前記直線部分の間に配置され、流路が湾曲形状を有する湾曲部分と、を有することを特徴とする請求項１〜７のいずれかに記載の溶融紡糸装置。
【請求項９】
前記囲い部材は、
前記ガスが吸引される吸引方向において、上流側の第１部材と、下流側の第２部材とに分割されており、
前記第２部材は、前記第１部材に着脱可能であることを特徴とする請求項１〜８のいずれかに記載の溶融紡糸装置。
【発明の詳細な説明】
【技術分野】
【０００１】
本発明は、溶融紡糸装置に関する。
【背景技術】
【０００２】
特許文献１には、糸を紡出する溶融紡糸装置が開示されている。溶融紡糸装置は、溶融されたポリマーをフィラメントとして紡出する複数の口金をそれぞれ有する紡糸パックと、複数の口金の下方に配置され、紡出されたフィラメントをそれぞれ冷却風により冷却する複数の冷却筒とを備える。
【０００３】
ここで、口金から紡出された直後のフィラメントからは、ポリマーの原料であるモノマーのガスが発生する。モノマーのガスが冷えて固化すると、モノマーが口金につらら状に付着したり、冷却筒に設けられたフィルターを目詰まりさせたりする等して、冷却筒からフィラメントに供給される冷却風が乱され、糸品質が悪化するおそれがある。さらに、一般的に、溶融紡糸装置の下方には、糸に油剤を付与する油剤ガイドが配置されており、固化したモノマーが油剤ガイドに付着すると、糸品質が悪化する等の悪影響も生じる。そこで、上記溶融紡糸装置は、複数の口金と複数の冷却筒との間にそれぞれ配置され、且つ、複数の口金から紡出された直後のフィラメントをそれぞれ囲うように設けられた複数のリング状のパイプ（以下、排気リングとする）をさらに備える。各パイプの周壁には、排気リングの内側のガスを吸い出すための複数の穴が等間隔に形成されている。これらの複数の穴を通して、口金の直下にあるガスが吸い出される。
【先行技術文献】
【特許文献】
【０００４】
【特許文献１】ＤＥ１０２０１３０１２８６９Ａ１
【発明の概要】
【発明が解決しようとする課題】
【０００５】
排気リングの内側からモノマーのガスを吸い出す際に、口金から紡出された直後のフィラメント近傍において気流が乱れると、糸揺れが生じやすく、糸品質が低下しやすくなる。また、一部の排気リングでガスが急激に吸引される等、複数の排気リング間でガスの吸引量がばらつくと、フィラメントの揺れ方等が複数の排気リング間で異なりやすくなり、糸品質がばらつきやすくなる。特に、近年、従来以上に細い（例えば、０．５ＤＰＦ以下の）フィラメントからなる糸の製造が求められており、上述した問題がいっそう顕著になっている。
【０００６】
本発明の目的は、紡出された直後のフィラメントの近傍における気流の乱れを抑制し、且つ、複数の排気リング間におけるガスの吸引量のばらつきを低減することである。
【課題を解決するための手段】
【０００７】
第１の発明の溶融紡糸装置は、複数の紡糸口金を有し、前記複数の紡糸口金からそれぞれフィラメントを紡出する紡糸部と、前記複数の紡糸口金の下方にそれぞれ配置された複数の冷却筒を有し、前記複数の紡糸口金からそれぞれ紡出された前記フィラメントを冷却する冷却部と、前記フィラメントの走行方向において前記紡糸部と前記冷却部との間に配置され、紡出された前記フィラメントから発生するガスを吸引して排出する排気部と、を備え、前記排気部は、前記ガスを吸引する吸引装置と、前記複数の紡糸口金と前記複数の冷却筒との間にそれぞれ配置され、且つ、前記複数の紡糸口金から紡出された前記複数のフィラメントをそれぞれ囲うように設けられた複数の排気リングと、前記吸引装置に接続され、且つ、前記複数の排気リングを囲うように設けられ、前記複数の排気リングの内側から排出された前記ガスが流れる内部空間が形成された囲い部材と、を有し、各排気リングの周壁には、前記ガスが吸引排出される複数の排気穴が形成され、各排気リングの各排気穴の面積が、３０ｍｍ2以下であり、各排気リングにおいて、前記複数の排気穴の面積の総和の、前記排気リングの内面積に対する割合が、２．５％以下であることを特徴とするものである。
【０００８】
本発明では、紡糸口金と冷却筒との間（すなわち、紡出された直後のフィラメントの近傍）に配置された排気リングの排気穴を通して、ガスが吸引排出される。本願発明者による鋭意検討の結果、以下のように、排気穴の面積が、気流の乱れの抑制や排気リング間のガスの吸引量のばらつきの低減に大きく関係することが知見された。
【０００９】
まず、本願発明者は、各排気穴の面積を３０ｍｍ2以下として各排気穴の流路抵抗を大きくすることで、例えばガスの吸引方向において吸引装置に比較的近い位置に配置された排気穴等、ガスが流れやすい位置にある排気穴を通ってガスが集中的に吸引されることを抑制できることを見出した。つまり、各排気穴の流路抵抗を大きくすることで、各排気穴を通してガスを均等に吸引しやすくし、排気リングの内側において、気流が一部の排気穴に集中することを抑制でき、排気リングの内側における気流の乱れを抑制できることを見出した。さらに、本願発明者は、各排気穴の面積に加え、複数の排気穴の面積の総和の、排気リングの内面積に対する割合（以下、開口比率とする）に着目した。すなわち、本願発明者は、開口比率を２．５％以下とすることで、ガスの単位時間当たりの吸引量が排気リングの内部空間の容積に対して大きくなり過ぎることを抑え、排気リングの内側における気流の乱れを抑制できることを見出した。
【００１０】
また、本願発明者は、各排気穴の面積を小さくすることで、複数の排気リング間のガスの吸引量のばらつきも低減できることを見出した。すなわち、気流が一部の排気穴に集中することを抑制することで、気流が一部の排気穴に集中している場合と比べて、囲い部材の内部空間全体における流速ばらつきも低減することができ、複数の排気リング間のガスの吸引量のばらつきを抑制できることを見出した。さらに、開口比率を小さくし、排気リングの内側からガスが急激に排出されることを抑制することで、ガスが急激に排出される場合と比べて、囲い部材の内部空間において気流が乱れやすくなることを抑制し、排気リング間のガスの吸引量のばらつきを低減できることを見出した。
【００１１】
以上のように、各排気穴の面積及び開口比率を所定の値以下とすることで、紡出された直後のフィラメントの近傍における気流の乱れを抑制し、且つ、複数の排気リング間におけるガスの吸引量のばらつきを低減することができる。
【００１２】
第２の発明の溶融紡糸装置は、前記第１の発明において、各排気穴の面積が、１３ｍｍ2以下であることを特徴とするものである。
【００１３】
本発明では、排気リングの内側の気流が一部の排気穴に集中することをさらに抑制することで、紡出された直後のフィラメントの近傍における気流の乱れを大きく抑制し、且つ、複数の排気リング間におけるガスの吸引量のばらつきを大きく低減することができる。
【００１４】
第３の発明の溶融紡糸装置は、前記第１又は第２の発明において、前記複数の排気穴の面積の総和の、前記排気リングの内面積に対する割合が、１．２５％以下であることを特徴とするものである。
【００１５】
本発明では、上記割合を１．２５％以下とし、排気リングの内側にあるガスが急激に吸引されることをさらに抑制することで、紡出された直後のフィラメントの近傍における気流の乱れを大きく抑制し、且つ、複数の排気リング間におけるガスの吸引量のばらつきを大きく低減することができる。
【００１６】
第４の発明の溶融紡糸装置は、前記第１〜第３のいずれかの発明において、各排気穴の面積が、７ｍｍ2以上であることを特徴とするものである。
【００１７】
各排気穴が小さ過ぎると、排気穴を通過しようとするガスが排気穴の内部或いは近傍で固化した場合に、排気穴が詰まりやすくなるおそれがある。したがって、排気穴が詰まることを抑制するために、各排気穴の面積を７ｍｍ2以上とすることが好ましい。
【００１８】
第５の発明の溶融紡糸装置は、前記第１〜第４のいずれかの発明において、各排気リングの前記複数の排気穴は、各排気リングの周方向において等間隔で配列されていることを特徴とするものである。
【００１９】
本発明では、各排気リングの複数の排気穴が周方向に等間隔で配列されているため、各排気リングの周方向においてガスが均等に排出されやすい。これにより、各排気リングの周辺におけるガスの流速を均一に近づけることができるので、各排気リングの周辺において流速が大きくばらついている場合と比べて、囲い部材の内部空間全体の流速ばらつきも抑えることができる。したがって、ガスの吸引量が排気リング間でばらつくことを抑制できる。
【００２０】
第６の発明の溶融紡糸装置は、前記第１〜第５のいずれかの発明において、各排気穴は、円形状を有することを特徴とするものである。
【００２１】
本発明では、各排気穴を滑らかな円形状とすることで、ガスが排気される際に乱流を発生しにくくすることができる。
【００２２】
また、紡出される糸の太さや種類によっては、複数の排気穴の総面積を変更することでガスの単位時間あたりの吸引量を変更したい場合が生じうる。本発明では、排気穴が円形状を有するため、排気穴を一般的なピン等で塞ぐことができる。或いは、排気穴に雌ねじを形成することで、排気穴を一般的なねじ等で塞ぐこともできる。つまり、排気穴を塞ぐピン或いはねじ等の数を増減させることで、複数の排気穴の総面積を変更できる。したがって、複数の排気穴の総面積を変更する際に、排気リングを交換する必要がなく、しかも排気穴の総面積を容易に変更できるため、コストや手間を省くことができる。
【００２３】
第７の発明の溶融紡糸装置は、前記第１〜第６のいずれかの発明において、前記紡糸部は、０．５ＤＰＦ以下の太さのフィラメントを紡出可能であることを特徴とするものである。
【００２４】
０．５ＤＰＦ以下の細くて軽いフィラメントは、気流の乱れによって揺れやすく、従来の太さのフィラメントと比べて、糸品質が低下しやすくなるおそれがある。本発明では、紡出された直後のフィラメントの近傍における気流の乱れを抑制できるため、細いフィラメントが紡出される構成において、糸品質のばらつきを特に効果的に抑制することができる。
【００２５】
第８の発明の溶融紡糸装置は、前記第１〜第７のいずれかの発明において、前記囲い部材は、前記ガスが吸引される吸引方向における下流側に向かうほど流路幅が狭くなる流路縮小部分と、前記流路縮小部分よりも前記吸引方向における前記吸引装置側に配置され、流路幅が一定な直線部分と、前記流路縮小部分と前記直線部分の間に配置され、流路が湾曲形状を有する湾曲部分と、を有することを特徴とするものである。
【００２６】
囲い部材において、例えば、流路縮小部分と直線部分とによって角が形成されていると、吸引装置側へ向かう気流が角の部分で剥離しやすくなり、渦が発生して圧力損失が起こるおそれがある。本発明では、流路縮小部分から直線部分に向かう気流が、湾曲部分に沿って滑らかに流れやすくなる。したがって、気流の剥離を起こりにくくして渦の発生を抑制することができる。
【００２７】
第９の発明の溶融紡糸装置は、前記第１〜第８のいずれかの発明において、前記囲い部材は、前記ガスが吸引される吸引方向において、上流側の第１部材と、下流側の第２部材とに分割されており、前記第２部材は、前記第１部材に着脱可能であることを特徴とするものである。
【００２８】
吸引されているガスが囲い部材の内部空間において固化すると、内部空間が狭くなり、吸引力が弱まるおそれがある。本発明では、囲い部材が第１部材と第２部材とに分割されており、第２部材が第１部材に着脱可能であるため、囲い部材の内部のメンテナンスを容易に行うことができる。したがって、吸引力が弱まることを抑制できる。
【図面の簡単な説明】
【００２９】
【図１】本実施形態に係る溶融紡糸装置の断面図である。
【図２】図１のII-II断面図である。
【図３】排気装置の平面図である。
【図４】図３のIV-IV断面図である。
【図５】接続部材の一部の断面図である。
【図６】実施例及び比較例の条件と、流体解析によって得られたガスの吸引量のばらつきのデータを示す図である。
【図７】排気リングの排気穴の配置例を示す図である。
【図８】実施例及び比較例を、排気リングの内面積に対する排出穴の面積の総和の割合順に並べ替えたデータを示す図である。
【図９】排気リング内における吸引量のばらつきの開口面積比依存性を示すグラフである。
【図１０】排気リング間における吸引量のばらつきの開口面積比依存性を示すグラフである。
【図１１】排気穴の配置依存性に関する解析結果を示す図である。
【図１２】糸品質の実験結果のデータを示す図である。
【発明を実施するための形態】
【００３０】
次に、本発明の実施の形態について、図１〜図１２を参照しながら説明する。
【００３１】
（溶融紡糸装置の概略構成）
まず、溶融紡糸装置１の構成について、図１及び図２を用いて説明する。図１は、本実施形態に係る溶融紡糸装置の断面図である。図２は、図１のＩＩ−ＩＩ断面図である。なお、図１及び図２に示す上下方向、前後方向、及び、左右方向を、本実施形態の溶融紡糸装置１の上下方向、前後方向、及び、左右方向とそれぞれ定義して、以下の説明を進める。溶融紡糸装置１は、紡糸ビーム２（本発明の紡糸部）と、糸冷却装置３（本発明の冷却部）と、排気装置４（本発明の排気部）と、油剤ガイド５とを備える。
【００３２】
紡糸ビーム２は、溶融ポリマーからなる複数の糸Ｙを紡出するためのものである。本実施形態において紡出される溶融ポリマーは、例えば、ナイロン６（ＰＡ６）である。紡糸ビーム２は、複数のパックハウジング１１を備える。複数のパックハウジング１１には、複数の紡糸パック１２がそれぞれ装着される。本実施形態では、１２個のパックハウジング１１に１２個の紡糸パック１２がそれぞれ装着される。複数のパックハウジング１１（複数の紡糸パック１２）は、左右方向に沿って千鳥状に２列に配列されている。各紡糸パック１２には、図示しない配管等から溶融ポリマーが供給される。
【００３３】
各紡糸パック１２の下端部には、複数のノズル１４が形成された紡糸口金１３が配置されている。紡糸パック１２は、紡糸口金１３の複数のノズル１４から溶融ポリマーをフィラメントｆとしてそれぞれ紡出する。つまり、１つの紡糸口金１３から、複数のフィラメントｆで構成された１本のマルチフィラメント糸（糸Ｙ）が紡出される。本実施形態において、各ノズル１４の開口面積は、例えば０．０１７ｍｍ2（φ０．１５）〜０．０７ｍｍ2（φ０．３０）であり、紡糸ビーム２は、０．５ＤＰＦ以下の細いフィラメントｆを紡出可能である。ここで、紡出された直後のフィラメントｆからは、溶融ポリマーの原料であるモノマー（本実施形態では、ε−カプロラクタム）のガスが発生する。モノマーのガスは、排気装置４によって吸引排出される。詳細については後述する。
【００３４】
糸冷却装置３は、複数の紡糸パック１２から紡出されたフィラメントｆを冷却するためのものである。糸冷却装置３は、紡糸ビーム２の下方に配置されている。図１及び図２に示すように、糸冷却装置３は、箱体２０と、箱体２０内に収容された複数の冷却筒２１（本発明の糸冷却部）と、複数の仕切筒２２等を有する。
【００３５】
図１に示すように、箱体２０の内部空間は、整流板２３によって上下に仕切られている。整流板２３は、パンチングメタルなどの整流機能を有する材料で形成された部材であり、水平に配置されている。箱体２０の上部空間（整流板２３よりも上側の空間）の、紡糸パック１２の直下の位置には、冷却筒２１が配置されている。図２に示すように、複数の冷却筒２１は、複数の紡糸パック１２の配列に対応して、左右方向に沿って千鳥状に配列されている。冷却筒２１の壁は、整流板２３と同様、パンチングメタル等の整流機能を有する材料で形成されている。箱体２０の下部空間（整流板２３よりも下側の空間）の、複数の冷却筒２１の直下の位置には、複数の仕切筒２２が配置されている。仕切筒２２の壁は、冷却筒２１とは異なり、空気を透過させない材料で形成されている。フィラメントｆは、紡糸パック１２の直下の冷却筒２１の内部空間と仕切筒２２の内部空間を順に通過する。
【００３６】
箱体２０の下部の後側部分には、ダクト２５が接続されている（図１参照）。ダクト２５は、圧空源（図示省略）に接続されている。圧空源によって、フィラメントｆを冷却するための空気がダクト２５内に送られる。空気は、ダクト２５内を通って箱体２０の下部空間内に供給される。
【００３７】
箱体２０の下部空間に流入した冷却用の空気は、水平に配置された整流板２３を通過して上向きに整流され、箱体２０の上部空間へ流れる。箱体２０の上部空間に流入した空気は、冷却筒２１の壁を通過する際に整流されて、冷却筒２１内へ流れ込む。これにより、冷却筒２１内において、冷却筒２１の外側全周からフィラメントｆに空気が吹き付けられ、フィラメントｆが冷却される。なお、仕切筒２２の壁は空気を透過させないため、箱体２０の下部空間から仕切筒２２内へ直接空気が流れ込むことはない。
【００３８】
排気装置４は、紡糸口金１３の複数のノズル１４から紡出された直後の溶融ポリマーから発生するモノマーのガスを吸引排出する。詳細については後述する。
【００３９】
油剤ガイド５は、糸Ｙに油剤を付与するためのものである。油剤ガイド５は、冷却筒２１及び仕切筒２２の下方の位置に配置される。油剤ガイド５には、冷却筒２１で冷却された糸Ｙが接触する。その際に、油剤ガイド５は糸Ｙに対して油剤を吐出して、糸Ｙに油剤を付与する。油剤ガイド５によって油剤が付与された糸Ｙは、油剤ガイド５の下方に配置された引取ローラ（不図示）によって引き取られる。さらに、糸Ｙは巻取装置（不図示）へ送られ、巻取装置においてボビン（不図示）に巻き取られる。
【００４０】
（排気装置の構成）
次に、排気装置４の構成について、図３〜図５を用いて説明する。図３は、排気装置４全体の平面図である。図４は、図３のＩＶ−ＩＶ断面図である。図５は、後述する囲い部材３１の一部の断面図である。
【００４１】
排気装置４は、紡出された直後の溶融ポリマーから発生するモノマーガスを含む気体（以下、単にガスとする）を吸引して排出するためのものである。図３に示すように、排気装置４は、囲い部材３１と、複数（本実施形態では１２個）の排気リング３２と、ダクト３３と、吸引ポンプ３４（本発明の吸引装置）とを有する。概要としては、排気装置４は、吸引ポンプ３４が動作することで、囲い部材３１に装着されて囲われた複数の排気リング３２の内側からガスを吸引し、囲い部材３１の内部空間４４（図４参照）及びダクト３３内を通してガスを吸引排出する（図３の矢印参照）。以下、詳細について説明する。
【００４２】
囲い部材３１は、複数の排気リング３２が装着されることで複数の排気リング３２を囲い、複数の排気リング３２の内側から排出されたガスを吸引ポンプ３４側へ流すためのものである。囲い部材３１は、全体として概ね平らな形状を有している。囲い部材３１においては、略水平に配置されて上下に並べられた平板４１、４２（図４参照）と、平板４１と平板４２の外周部同士を接続する側壁４３（図４、図５参照）とによって、内部空間４４（図４参照）が形成されている。囲い部材３１は、ダクト３３を介して吸引ポンプ３４に接続されている。また、囲い部材３１は、後方（ガスが吸引される吸引方向における上流側）に配置された１つの第１部材３１ａと、第１部材３１ａよりも前方（吸引方向における下流側）に配置された２つの第２部材３１ｂとに分割されている（図３〜図５参照。詳細は後述する）。
【００４３】
囲い部材３１は、複数の排気リング３２を囲っている囲い部５０と、囲い部５０よりも吸引ポンプ３４側に配置された２つの流路部６０とを有する（図３及び図５において、囲い部５０と２つの流路部６０とが、二点鎖線１０１で区切られている）。囲い部５０は、上方から見て矩形状であり（図３参照）、上下方向において紡糸ビーム２と糸冷却装置３の間に配置されている（図４参照）。囲い部５０には、複数の排気リング３２がそれぞれ嵌合される複数の嵌合穴５１が形成されている。複数の嵌合穴５１は、複数の紡糸口金１３にそれぞれ対応して、左右方向に沿って千鳥状に２列に配列されている。２つの流路部６０は、囲い部５０の前端に接続された部分である。２つの流路部６０は左右方向に並べて配置されており、それぞれが、上方から見て概ね三角形状を有する。２つの流路部６０の前端部は、ダクト３３にそれぞれ取り付けられている。
【００４４】
図３及び図５に示すように、各流路部６０は、後方から順に、流路縮小部分６１（二点鎖線１０１と二点鎖線１０２に挟まれた部分）と、湾曲部分６２（二点鎖線１０２と二点鎖線１０３に挟まれた部分）と、直線部分６３（二点鎖線１０３よりも前側の部分）とを有する。流路縮小部分６１は、流路部６０の後端から前方に向かうように配置され、前方（すなわち、吸引方向における下流側）に向かうほど流路幅がテーパ状に狭くなっている部分である。湾曲部分６２は、吸引方向において、流路縮小部分６１と直線部分６３の間に配置されている。湾曲部分６２の内壁面６４（図５の太線参照）は、吸引ポンプ３４側へ向かうほど流路幅が狭くなるように湾曲している。直線部分６３は、流路縮小部分６１及び湾曲部分６２よりも吸引方向における下流側に配置された、流路幅が一定の部分である。直線部分６３の前端部は、ダクト３３に接続されている。ガスは、流路縮小部分６１から直線部分６３に向かって流れる際、湾曲部分６２の内壁面６４に沿って滑らかに流れやすい。このため、気流の剥離による渦の発生等が抑制される。
【００４５】
また、前述したように、囲い部材３１は、吸引方向において、排気リング３２側の第１部材３１ａと、吸引ポンプ３４側の２つの第２部材３１ｂとに分割されている。詳細には、図３〜図５に示すように、囲い部材３１は、囲い部５０の全体及び２つの流路部６０の後側部分を形成する第１部材３１ａと、２つの流路部６０の前側部分をそれぞれ形成する２つの第２部材３１ｂとに分割されている。第１部材３１ａにおいては、平板４１ａ、４２ａ（図４参照）及び側壁４３ａ（図４、図５参照）によって内部空間４４ａが形成されている。第２部材３１ｂにおいては、平板４１ｂ、４２ｂ（図４参照）及び側壁４３ｂ（図５参照）によって内部空間４４ｂが形成されている。図３及び図５に示すように、流路部６０の流路縮小部分６１は、第１部材３１ａに形成された第１流路縮小部分６１ａと、第２部材３１ｂに形成された第２流路縮小部分６１ｂとに分割される。流路部６０の湾曲部分６２及び直線部分６３は、第２部材３１ｂに形成されている。
【００４６】
第１部材３１ａと第２部材３１ｂは、通常使用時、例えばボルト１０４とナット１０５によって固定されている（図４参照）。メンテナンス時には、ボルト１０４とナット１０５を外すことで、第２部材３１ｂを第１部材３１ａから切り離すことができる。つまり、第２部材３１ｂを第１部材３１ａに着脱させることが可能である。これにより、メンテナンス時に、囲い部材３１の内部、特に流路部６０の内部の清掃が容易となっている。
【００４７】
複数の排気リング３２は、紡出された直後のフィラメントｆから発生したガスを径方向外側へ排出するためのものである。図４に示すように、複数の排気リング３２は、上下方向において紡糸パック１２と冷却筒２１の間に配置された部材である。各排気リング３２は、紡出された直後のフィラメントｆを囲うように設けられている。複数の排気リング３２は、囲い部材３１の複数の嵌合穴５１にそれぞれ嵌合されており、囲い部材３１に囲われるように取り付けられている。各排気リング３２の周壁７１には、各排気リング３２の周方向に沿って、複数の排気穴７２が並べて形成されている。複数の排気穴７２によって、排気リング３２の内側の空間と囲い部材３１の内部空間４４が互いに連通している。吸引ポンプ３４が動作すると、紡出された直後のフィラメントｆから発生したガスは、複数の排気穴７２を通って、排気リング３２の内側から囲い部材３１の内部空間４４へ吸引排出される。
【００４８】
排気穴７２は、例えば円形状である（図４参照）。このように、排気穴７２を滑らかな形状とすることで、ガスが排出される際に乱流を発生しにくくすることができる。また、排気穴７２を円形状とすることで、一般的なピン（不図示）等が排気穴７２に差し込み可能となっている。これにより、複数の排気穴７２に差し込むピンの数に応じて、複数の排気穴７２の開口面積の総和（開口総面積）を変更することが可能である。なお、開口総面積を変更可能とするために、排気穴７２として周壁７１に雌ねじ（不図示）が形成されており、ねじ（不図示）等が螺合可能になっていても良い。
【００４９】
ダクト３３は、囲い部材３１と吸引ポンプ３４を接続するためのものである。ダクト３３は、２つの上流部８１と、１つの下流部８２とを有する。２つの上流部８１（左側の上流部８３、及び、右側の上流部８４）には、囲い部材３１の２つの第２部材３１ｂがそれぞれ取り付けられている。２つの上流部８１は、下流部８２の上流側端部に接続されて合流している。下流部８２の下流側端部は、吸引ポンプ３４に接続されている。これにより、囲い部材３１の第２部材３１ｂが第１部材３１ａから切り離されている状態で、第２部材３１ｂを第１部材３１ａに対して動かすことができる。
【００５０】
吸引ポンプ３４は、モノマーのガスを排気リング３２の内側から吸引排出するためのものである。吸引ポンプ３４には、一例として水流ポンプが用いられる。これにより、微小な吸引圧（例えば−５Ｐａ）を発生させることが可能であり、且つ、モノマーのガスを水に溶解させて排出することが可能である。なお、吸引ポンプ３４は水流ポンプに限定されるものではなく、例えばブロアー等を用いても良い。
【００５１】
以上の構成を有する排気装置４において、吸引ポンプ３４が動作すると、吸引ポンプ３４の吸引力により、モノマーのガスが、排気リング３２の複数の排気穴７２、囲い部材３１の内部空間４４、ダクト３３の内部の順に通って吸引排出される（図３の矢印参照）。
【００５２】
ここで、細いフィラメントｆが紡出されているとき、排気リング３２の内側からモノマーのガスを吸い出す際に、紡糸口金１３から紡出された直後のフィラメントｆの近傍において気流が乱れると、糸揺れが生じ、糸品質が低下しやすくなる。例えば、排気リング３２の内側からガスが急激に排出されると、フィラメントｆの近傍において気流が乱れやすい。また、一部の排気リング３２でガスが急激に吸引される等、複数の排気リング３２間でガスの吸引量がばらつくと、糸の揺れ方等が複数の排気リング３２間で異なりやすくなり、糸品質がばらつきやすくなる。このため、細いフィラメントｆが紡出される場合、ガスを単に吸引すれば良いのではなく、気流の乱れや排気リング３２間におけるガスの吸引量のばらつきを抑制しつつガスを吸引する技術が特に求められる。
【００５３】
そこで、本願発明者は、排気リング３２に形成された複数の排気穴７２のサイズ等に着目した。すなわち、以下に説明する流体解析により、（１）各排気穴７２のサイズ、（２）各排気リング３２の内面積に対する複数の排気穴７２の面積の総和の割合（以下、開口比率と称する）、（３）排気穴７２の配列、を適切に規定することで、気流の乱れ及び排気リング３２間におけるガスの吸引量のばらつきを抑制できることを見出すに至った。
【００５４】
（解析条件）
本願発明者が行った流体解析について説明する。まず、全解析モデルの共通の条件は、以下のとおりである。すなわち、排気リング３２の配列を、図３に示すものと同様の千鳥配列（１２個）とした。また、吸引ポンプの吸引圧を−５Ｐａとした。
【００５５】
次に、解析条件の詳細及び解析結果について、図６〜図１１を用いて説明する。図６は、全ての実施例（実施例１〜８）及び比較例（比較例１〜４）の解析条件の詳細と解析結果を示すテーブルである。図６においては、実施例及び比較例を各排気穴７２の面積順に並べている（太枠参照）。図７は、排気リングの排気穴の配置例を示す図である。図７（ａ）〜（ｃ）は、排気リング３２の上下方向と直交する断面図であり、図７（ｄ）〜（ｆ）は、排気リング３２の側面図である。図８は、実施例１〜８及び比較例１〜３を開口比率順（太枠参照）に並べ替えたテーブルである。図９は、後述する吸引量のばらつき（排気リング３２内）の、開口比率依存性を示すグラフである。図１０は、吸引量のばらつき（排気リング３２間）の、開口比率依存性を示すグラフである。図１１は、吸引量のばらつきの、複数の排気穴７２の配置依存性（太枠参照）を示すテーブルである。
【００５６】
図６、図８、図１１には、具体的な条件として、紙面左方から順に、以下の７つの条件を記載している。すなわち、（１）排気穴７２の形状、（２）各排気穴７２のサイズ、（３）排気穴７２の数、（４）複数の排気穴７２の配置、（５）複数の排気穴７２の面積の総和（穴の総面積）、（６）排気リング３２の内面積、（７）開口比率、を記載している。
【００５７】
図６に示すように、排気穴７２の形状（上記（１））の条件振りは、円形と、スリット形状の２条件とした。また、複数の排気穴７２の配置（上記（４））の条件振りは、排気リング３２の周方向において等間隔に配列したものと、左右方向における両側面に集中的に配置したものの２条件とした。なお、図７（ａ）、（ｄ）は、実施例２の排気リング３２（円形の排気穴７２ａが等間隔に配置された排気リング３２ａ）を例示している。図７（ｂ）、（ｅ）は、実施例４の排気リング３２（円形の排気穴７２ｂが側面集中配置された排気リング３２ｂ）を例示している。図７（ｃ）、（ｆ）は、比較例４の排気リング３２（スリット状の排気穴７２ｃが等間隔に配置された排気リング３２ｃ）を例示している。
【００５８】
図６、図８、図１１には、解析結果として、単位時間あたりのガスの吸引量、１つの排気リング３２内におけるガスの吸引量のばらつき（ＣＶ％）、複数の排気リング３２間におけるガスの吸引量のばらつき（ＣＶ％）、及び、判定（ＯＫ或いはＮＧ）を記載している。単位時間あたりのガスの吸引量は、１つの排気リング３２あたりの吸引量の平均値で表している。つまり、１２個の排気リング３２の内側から吸引されるガスの単位時間あたりの吸引量の総和を、排気リング３２の数で割った平均値で表している。
【００５９】
１つの排気リング３２内でのガスの吸引量のばらつき（以下、リング内ばらつきと称する）としては、以下のような値を記載している。まず、各排気リング３２について、複数の排気穴７２における単位時間あたりのガスの吸引量のデータの標準偏差を算出した。さらに、標準偏差を当該吸引量のデータの平均値で割った値をそれぞれ算出した（つまり、１２個の排気リング３２それぞれにおけるＣＶ％を算出した）。さらに、当該１２個のＣＶ％の平均値を算出した。このように算出したＣＶ％の平均値を、リング内ばらつきとして記載している。
【００６０】
１２個の排気リング３２間におけるガスの吸引量のばらつき（以下、リング間ばらつきと称する）としては、以下のような値を記載している。まず、各排気リング３２について、単位時間あたりのガスの吸引量を算出した（つまり、１２個の排気リング３２それぞれにおける吸引量のデータを算出した）。さらに、１２個の吸引量のデータの標準偏差を、１２個の吸引量のデータの平均値で割った値（すなわち、ＣＶ％）を算出した。このように算出したＣＶ％を、リング間ばらつきとして記載している。
【００６１】
リング内ばらつきは、以下に述べるように、排気リング３２の内側における気流の乱れやすさ（つまり、糸の揺れやすさ）の指標となる。例えば、ある排気リング３２のある排気穴７２において、他の排気穴７２と比べて吸引量が多い（すなわち、ガスが一部の排気穴７２から偏って排出されており、排気リング３２内で気流が乱れやすい）場合、リング内ばらつきの値が大きくなる。逆に、リング内ばらつきが小さい場合には、この値が大きい場合と比べて、ガスが複数の排気穴７２から万遍なく排出されやすく、排気リング３２の内側（すなわち、紡出された直後のフィラメントｆの近傍）における気流の乱れが抑制されていることが示唆される。
【００６２】
リング間ばらつきは、例えば、一部の排気リング３２で他の排気リング３２よりもガスの吸引量が多い又は少ない（すなわち、糸の揺れ方等が複数の排気リング３２間で異なりやすく、糸品質がばらつきやすい）場合に大きくなる。逆に、リング間ばらつきが小さい場合には、この値が大きい場合と比べて、複数の排気リング３２間でガスが万遍なく吸引されていることが示唆される。
【００６３】
判定の基準としては、リング内ばらつき及びリング間ばらつきが共に２％以下のものをＯＫとし、いずれかが２％を超えるものをＮＧとした。以下、解析結果について説明する。
【００６４】
（排気穴のサイズ依存性）
図６に示すように、排気リング３２の各排気穴７２のサイズを７．１ｍｍ2〜５７ｍｍ2の範囲で変更し、リング内ばらつきの比較及びリング間ばらつきの比較を行った（実施例１〜８、及び、比較例１〜４）。その結果、各排気穴７２のサイズが７．１ｍｍ2（φ３）及び１２．６ｍｍ2（φ４）の場合（実施例１〜６）、リング内ばらつき及びリング間ばらつきがいずれも２％以下（判定ＯＫ）となった。各排気穴７２のサイズが２８．３ｍｍ2（φ６）の場合、判定ＯＫのもの（実施例７、８）と判定ＮＧのもの（比較例１〜３）とに分かれた。各排気穴７２のサイズが５７ｍｍ2の場合（比較例４）、判定ＮＧであり、特に、リング間ばらつきが３．１％と大きくなった。各排気穴７２のサイズが大きくなると、リング内ばらつき及びリング間ばらつきが大きくなる傾向が見られた。
【００６５】
上記結果について、本願発明者は以下のように考察した。まず、各排気穴７２の面積を小さくして流路抵抗を大きくすることで、例えばダクト３３との接続部に近い位置に配置された排気穴７２等、ガスが流れやすい位置にある排気穴７２を通ってガスが集中的に吸引されることを抑制できると考えた。つまり、各排気穴７２の流路抵抗を大きくすることで、各排気穴７２を通してガスを均等が吸引されやすく、気流が一部の排気穴７２に集中することを抑制できるため、リング内ばらつきが小さくなる。これにより、紡出された直後のフィラメントｆの近傍における気流の乱れを抑制できると考えた。
【００６６】
また、本願発明者は、各排気穴７２の面積を小さくすることで、複数の排気リング３２間におけるガスの吸引量のばらつきも抑制できると考えた。すなわち、気流が一部の排気穴７２に集中することを抑制することで、気流が一部の排気穴７２に集中している場合と比べて、囲い部材３１の内部空間４４全体における流速ばらつきも低減することができ、リング間ばらつきも抑制できると考えた。
【００６７】
以上より、リング内ばらつき及びリング間ばらつきを小さくためには、各排気穴７２の面積を少なくとも概ね３０ｍｍ2以下として、各排気穴７２の抵抗を大きくすることが必要となる。より好ましくは、各排気穴７２の面積を概ね１３ｍｍ2以下として、各排気穴７２の抵抗をさらに大きくすることで、リング内ばらつき及びリング間ばらつきをさらに小さくすることができる。
【００６８】
ここで、排気穴７２の面積は小さければ小さいほど良いわけではなく、モノマーのガスが排気穴７２の内部或いは近傍で固化すると、排気穴７２が詰まるおそれがある。したがって、排気穴７２が詰まることを抑制するためには、各排気穴７２の面積を７ｍｍ2以上とすることが好ましい。
【００６９】
（開口比率依存性）
次に、上述した各排気穴７２のサイズ依存性の解析結果から、本願発明者は以下の点に着目した。すなわち、各排気穴７２のサイズが同じでも、排気穴７２の数の多少（つまり、各排気リング３２における開口総面積の大小）に依存してリング内ばらつき及びリング間ばらつきが変動する。より詳細には、リング内ばらつき及びリング間ばらつきは、排気リング３２の内面積の大きさに対する開口総面積の割合、すなわち開口比率にも影響されると、本願発明者は考えた。
【００７０】
そこで、本願発明者は、図８に示すように、各排気リング３２の開口総面積の条件及び排気リング３２の内面積の条件を変更することで、開口比率を０．７０％〜３．８８％の範囲で変更し（図８の太枠参照）、リング内ばらつき及びリング間ばらつきを比較した。排気リング３２の開口総面積は、７１ｍｍ2〜３９６ｍｍ2の範囲で変更した。排気リング３２の内面積は、１０２０７ｍｍ2（内径φ１１４ｍｍ）と１２０７６ｍｍ2（内径φ１２４ｍｍ）の２条件とした。また、図８においては、排気穴７２の形状が円形の実施例（実施例１〜８）及び比較例（比較例１〜３）のみ示している。
【００７１】
リング内ばらつきの、各排気穴７２のサイズ依存性、及び、開口比率依存性についてまとめたグラフを図９に示す。各排気穴７２の面積が２８．３ｍｍ2以下、且つ、開口比率が約３％以下の場合に、リング内ばらつきが２％以下となった。開口比率が約１．２５％以下になると、リング内ばらつきが１．５％以下となり、さらにばらつきが低減した。また、リング間ばらつきの、各排気穴７２のサイズ依存性、及び、開口比率依存性についてまとめたグラフを図１０に示す。各排気穴７２の面積が２８．３ｍｍ2以下、且つ、開口比率が約２．５％以下の場合に、リング間ばらつきが２％以下となった。開口比率が約１．２５％以下になると、リング間ばらつきが１％以下となり、さらにばらつきが低減した。なお、排気穴７２の面積を５７ｍｍ2とした場合（比較例４）、開口比率が１．８０％と小さいにもかかわらず、リング間ばらつきが３．１％と大きい。つまり、開口比率だけを小さくすれば良いわけではなく、上述したように、各排気穴７２の面積も小さくする必要がある。
【００７２】
以上より、開口比率が約２．５％以下の場合（実施例１〜８）に、リング内ばらつき及びリング間ばらつきが共に２％以下と小さくなり、開口比率が２．５％を超える場合（比較例１〜３）に、リング間ばらつきが２％を大きく上回った。さらに、開口比率が約１．２５％以下の場合（実施例１〜４）、リング内ばらつきが１．５％を下回り、リング間ばらつきが１％を下回るという良好な結果が得られた。
【００７３】
上記結果について、本願発明者は以下のように考察した。すなわち、開口比率が大きいと、ガスの単位時間当たりの吸引量が排気リング３２の内部空間の容積に対して大きくなり、紡出された直後のフィラメントｆの近傍における気流が乱れやすくなると考えた。また、開口比率が大きいと、排気リング３２の内側からガスが急激に排出されやすく、囲い部材３１の内部空間４４において気流が乱れやすくなるため、リング間ばらつきが大きくなると考えた。一方、開口比率を小さく抑えることで、吸引量が排気リング３２の内部空間の容積に対して大きくなり過ぎることを抑え、排気リング３２の内側における気流の乱れを抑制できると考えた。また、開口比率を小さく抑えることで、排気リング３２の内側からガスが急激に排出されることも抑制でき、リング間ばらつきも低減できると考えた。
【００７４】
なお、排気リング３２の内面積以外の条件が同じ実施例（実施例２、３）及び比較例（比較例２、３）においては、排気リング３２の内面積が大きい（すなわち、開口比率が小さい）方で、リング内ばらつき及びリング間ばらつきが大きい結果となった。これは、排気リング３２の内面積が大きい条件においては、内面積が小さい条件と比べて、互いに隣接している排気リング３２同士の間隔が狭く、排出されたガス同士が衝突して流れが乱れやすいことに起因すると考えられる。
【００７５】
以上より、リング内ばらつき及びリング間ばらつきを低減するためには、各排気穴７２の面積を概ね３０ｍｍ2以下とし、且つ、開口比率を２．５％以下とすることが必要となる。より好ましくは、開口比率を１．２５％以下として、ガスをさらにゆっくり吸引することで、リング内ばらつき及びリング間ばらつきを大きく低減できる。
【００７６】
（排気穴の配置依存性）
また、図１１に示すように、複数の排気穴７２の配置依存性についても流体解析を行った。すなわち、各排気リング３２における排気穴７２の配置以外の条件が同じ実施例において、複数の排気穴７２が等間隔に配置されている（図７（ｄ）参照）場合と、両側面に集中的に配置されている（図７（ｅ）参照）場合とで、リング内ばらつき及びリング間ばらつきを比較した。具体的には、実施例２と実施例４、実施例７と実施例８をそれぞれ比較した。その結果、排気穴７２の配置が等間隔の場合に、リング内ばらつきが若干大きくなり、リング間ばらつきが若干小さく抑えられた。
【００７７】
上記結果について、本願発明者は以下のように考察した。すなわち、各排気リング３２の複数の排気穴７２が等間隔で配列されているため、各排気リング３２の周方向においてガスが均等に排出されやすい。これにより、各排気リング３２の周辺におけるガスの流速を均一に近づけることができるので、各排気リング３２の周辺において流速が大きくばらついている場合と比べて、囲い部材３１の内部空間４４全体の流速ばらつきも抑えることができる。これにより、ガスの吸引量が排気リング３２間でばらつくことを抑制できると考えた。したがって、リング間ばらつきを低減するためには、複数の排気穴７２を排気リング３２の周方向において等間隔で配列することが好ましい。
【００７８】
なお、複数の排気穴７２が両側面に集中的に配置されている条件では、各排気穴７２同士が近接して配置されている分、各排気穴７２からのガスの吸引量が同程度になりやすいため、リング内ばらつきが小さくなりやすいと考えられる。一方で、複数の排気穴７２が等間隔に配置されている場合と比べると、各排気リング３２の周方向においてガスが均等に排出されにくいため、リング間ばらつきは若干大きくなると考えられる。
【００７９】
（糸品質の評価結果）
次に、本願発明者は、上記解析結果に基づき、実施例及び比較例の中からいくつかの条件を抜粋し、糸品質の実機評価を行った。その結果について、図１２を用いて説明する。
【００８０】
図１２に示すように、実施例２、５、６、及び、比較例２について、実際に糸を製造し、その糸物性について評価した。まず、共通の条件として、紡糸口金の径をφ８５ｍｍ、排気リング３２の内径をφ１１４ｍｍ（内面積１０２０７ｍｍ2）とし、糸の太さを０．４１ＤＰＦとした。また、排気穴７２の形状を円形とし、且つ、開口比率を１．２３％〜３．８８％の範囲で変更して（紙面左側の太枠参照）、４種類の糸を製造した。糸品質の評価は、主にＵ％（紙面右側の太枠参照）の測定結果に基づいて行った。Ｕ％は、糸の太さのばらつきを示す糸物性であり、この値が小さいほど染め斑が発生しにくく、糸品質が良好となる。判定の基準としては、Ｕ％が０．６％以下のものをＯＫとし、０．６％を超えるものをＮＧとした。
【００８１】
その結果、実施例２、５、６においてＵ％が０．６％以下で判定ＯＫとなり、比較例２においてＵ％が０．６％を超えて判定ＮＧとなった。開口比率が小さく、リング内ばらつき及びリング間ばらつきの値が小さいほど、Ｕ％も小さくなり、糸品質がより良好となった。この結果から、開口比率を小さくしてリング内ばらつき及びリング間ばらつきを小さく抑えることで、より良品質の糸を製造できることが裏付けられ、解析結果と実機評価との整合が確認された。
【００８２】
以上のように、各排気穴７２の面積を３０ｍｍ2以下として各排気穴７２の抵抗を大きくすることで、ガスが急激に排出されることを抑制できるとともに、ガスが流れやすい位置にある排気穴７２を通ってガスが集中的に吸引されることを抑制できる。つまり、各排気穴７２の抵抗を大きくすることで、各排気穴７２を通してガスを均等に吸引しやすくし、排気リング３２の内側において、気流が一部の排気穴７２に集中することを抑制できる。さらに、開口比率を２．５％以下とすることで、ガスの単位時間当たりの吸引量が排気リングの内部空間の容積に対して大きくなり過ぎることを抑え、排気リング３２の内側における気流の乱れを抑制できる。
【００８３】
さらに、各排気穴７２の面積を小さくすることで、複数の排気リング３２間におけるガスの吸引量のばらつきを低減することもできる。すなわち、気流が一部の排気穴７２に集中することを抑制することで、気流が一部の排気穴７２に集中している場合と比べて、囲い部材３１の内部空間４４全体における流速ばらつきを低減することができ、複数の排気リング３２間におけるガスの吸引量のばらつきを低減できる。さらに、開口比率を小さくし、排気リング３２の内側から急激にガスが排出されることを抑制することで、ガスが急激に排出される場合と比べて、囲い部材３１の内部空間４４において気流が乱れやすくなることを抑制し、排気リング３２間におけるガスの吸引量のばらつきを低減できる。
【００８４】
以上のように、各排気穴７２の面積及び開口比率を所定の値以下とすることで、紡出された直後のフィラメントｆの近傍における気流の乱れを抑制し、且つ、複数の排気リング３２間におけるガスの吸引量のばらつきを低減することができる。
【００８５】
より好ましくは、各排気穴７２の面積を１３ｍｍ2以下とし、排気リング３２の内側の気流が一部の排気穴７２に集中することをさらに抑制することで、紡出された直後のフィラメントｆの近傍における気流の乱れを大きく抑制し、且つ、複数の排気リング３２間におけるガスの吸引量のばらつきを大きく低減することができる。
【００８６】
さらに好ましくは、開口比率を１．２５％以下とし、排気リング３２の内側にあるガスが急激に吸引されることをさらに抑制することで、紡出された直後のフィラメントｆの近傍における気流の乱れを大きく抑制し、且つ、複数の排気リング３２間におけるガスの吸引量のばらつきを大きく低減することができる。
【００８７】
また、各排気穴７２の面積を７ｍｍ2以上とすることで、排気穴７２が詰まることを抑制することができる。
【００８８】
また、各排気リング３２の複数の排気穴７２を周方向に等間隔で配列することで、各排気リング３２の周方向においてガスが均等に排出されやすくなる。これにより、各排気リング３２の周辺におけるガスの流速を均一に近づけることができるので、各排気リング３２の周辺において流速が大きくばらついている場合と比べて、囲い部材３１の内部空間４４全体の流速ばらつきも抑えることができる。したがって、ガスの吸引量が排気リング３２間でばらつくことを抑制できる。
【００８９】
また、排気穴７２を滑らかな円形状とすることで、ガスが排気される際に乱流を発生しにくくすることができる。さらに、排気穴７２を一般的なピンやねじ等で塞ぐことができる。つまり、排気穴７２を塞ぐピンやねじ等の数を増減させることで、開口総面積を変更できる。したがって、開口総面積を変更する際に、排気リング３２を交換する必要がなく、しかも開口総面積を容易に変更できるため、コストや手間を省くことができる。
【００９０】
また、紡出された直後のフィラメントｆの近傍における気流の乱れを抑制できるため、０．５ＤＰＦ以下の細いフィラメントｆが紡出される構成において、糸品質のばらつきを特に効果的に抑制することができる。
【００９１】
また、流路縮小部分６１から直線部分６３に向かう気流が、湾曲部分６２に沿って滑らかに流れやすくなる。したがって、気流の剥離を起こりにくくして渦の発生を抑制することができる。
【００９２】
また、囲い部材３１が第１部材３１ａと第２部材３１ｂとに分割されており、第２部材３１ｂが第１部材３１ａに着脱可能であるため、囲い部材３１の内部のメンテナンスを容易に行うことができる。したがって、吸引力が弱まることを抑制できる。
【００９３】
特に、湾曲部分６２や直線部分６３の近傍においてモノマーのガスが固化すると、ガスの流路が詰まるおそれがある。囲い部材３１が分割されており、第２部材３１ｂが第１部材３１ａに着脱可能である構成は、流路が詰まることを抑制するために非常に有効である。
【００９４】
次に、前記実施形態に変更を加えた変形例について説明する。但し、前記実施形態と同様の構成を有するものについては、同じ符号を付して適宜その説明を省略する。
【００９５】
（１）前記実施形態においては、囲い部材３１の流路縮小部分６１と直線部分６３との間に湾曲部分６２が設けられているものとしたが、これには限られない。すなわち、流路縮小部分６１と直線部分６３によって角が形成されているような場合でも、ガスをゆっくり吸引することで渦の発生を抑制しても良い。
【００９６】
（２）前記までの実施形態においては、囲い部材３１が第１部材３１ａと第２部材３１ｂとに分割されているものとしたが、これには限られない。囲い部材３１が分割されていない構成であっても、例えば、メンテナンス時に囲い部材３１を加熱する等してモノマーを再び気化させ、吸引ポンプ３４を動作させてガスを吸引することで、流路部６０を清掃する等しても良い。或いは、囲い部材３１に不図示のヒータや断熱材等を取り付け、内部空間４４の温度を一定以上に保つことでモノマーガスの固化を抑制しても良い。
【００９７】
（３）前記までの実施形態においては、紡糸ビーム２は０．５ＤＰＦ以下のフィラメントｆを紡出するものとしたが、これには限られない。太いフィラメントｆが紡出される場合であっても、ガスの吸引量のばらつきを抑えて気流の乱れを抑制することは、糸品質を向上させるために有効である。
【００９８】
（４）排気リング３２の排気穴７２の形状は、必ずしも円形状でなくても良く、例えば楕円形状等であっても良い。
【００９９】
（５）前述までの実施形態において、紡糸ビーム２はポリマーとしてナイロン６を紡出するものとしたが、これには限られない。他の種類のナイロンやポリエステル等のポリマーが紡出される場合においても、本発明を適用することはもちろん可能である。
【符号の説明】
【０１００】
２        紡糸ビーム（紡糸部）
３        糸冷却装置（冷却部）
４        排気装置（排気部）
１３      紡糸口金
２１      冷却筒
３１      囲い部材
３１ａ    第１部材
３１ｂ    第２部材
３２      排気リング
３４      吸引ポンプ（吸引装置）
６１      流路縮小部分
６２      湾曲部分
６３      直線部分
７１      周壁
７２      排気穴
ｆ        フィラメント
【図１】
2019099941.tif 000003
【図２】
2019099941.tif 000004
【図３】
2019099941.tif 000005
【図４】
2019099941.tif 000006
【図５】
2019099941.tif 000007
【図６】
2019099941.tif 000008
【図７】
2019099941.tif 000009
【図８】
2019099941.tif 000010
【図９】
2019099941.tif 000011
【図１０】
2019099941.tif 000012
【図１１】
2019099941.tif 000013
【図１２】
2019099941.tif 000014
【手続補正書】
【提出日】平成30年10月23日(2018.10.23)
【手続補正１】
【補正対象書類名】明細書
【補正対象項目名】００５５
【補正方法】変更
【補正の内容】
【００５５】
次に、解析条件の詳細及び解析結果について、図６〜図１１を用いて説明する。図６は、全ての実施例（実施例１〜８）及び比較例（比較例１〜４）の解析条件の詳細と解析結果を示すテーブルである。図６においては、実施例及び比較例を各排気穴７２の面積順に並べている（太枠参照）。図７は、排気リングの排気穴の配置例を示す図である。図７（ａ）〜（ｃ）は、排気リング３２の側面図である。図７（ｄ）〜（ｆ）は、排気リング３２の上下方向と直交する断面図である。図８は、実施例１〜８及び比較例１〜３を開口比率順（太枠参照）に並べ替えたテーブルである。図９は、後述する吸引量のばらつき（排気リング３２内）の、開口比率依存性を示すグラフである。図１０は、吸引量のばらつき（排気リング３２間）の、開口比率依存性を示すグラフである。図１１は、吸引量のばらつきの、複数の排気穴７２の配置依存性（太枠参照）を示すテーブルである。
【手続補正２】
【補正対象書類名】明細書
【補正対象項目名】００７０
【補正方法】変更
【補正の内容】
【００７０】
そこで、本願発明者は、図８に示すように、各排気リング３２の開口総面積の条件及び排気リング３２の内面積の条件を変更することで、開口比率を０．７０％〜３．８８％の範囲で変更し（図８の太枠参照）、リング内ばらつき及びリング間ばらつきについて実施例１〜８及び比較例１〜３の間で比較を行った。排気リング３２の開口総面積は、７１ｍｍ2〜３９６ｍｍ2の範囲で変更した。排気リング３２の内面積は、１０２０７ｍｍ2（内径φ１１４ｍｍ）と１２０７６ｍｍ2（内径φ１２４ｍｍ）の２条件とした。また、図８においては、排気穴７２の形状が円形の実施例（実施例１〜８）及び比較例（比較例１〜３）のみ示している。
【手続補正３】
【補正対象書類名】明細書
【補正対象項目名】００７６
【補正方法】変更
【補正の内容】
【００７６】
（排気穴の配置依存性）
また、図１１に示すように、複数の排気穴７２の配置依存性についても流体解析を行った。すなわち、各排気リング３２における排気穴７２の配置以外の条件が同じ実施例において、複数の排気穴７２が等間隔に配置されている（図７（ｄ）参照）場合と、両側面に集中的に配置されている（図７（ｅ）参照）場合とで、リング内ばらつき及びリング間ばらつきについて比較を行った。具体的には、実施例２と実施例４、実施例７と実施例８をそれぞれ比較した。その結果、排気穴７２の配置が等間隔の場合に、リング内ばらつきが若干大きくなり、リング間ばらつきが若干小さく抑えられた。